(57)【特許請求の範囲】
【請求項１】
左右の前輪（３）と左右の後輪（４）を設け、後部に設けた走行モータ（５）からミッションケース（６）内を介して左右の走行チェーンケース（１５）内に伝動し、該走行チェーンケース（１５）の先端部に設けた後輪（４）を駆動する構成とし、昇降ハンドル（１７）により螺子杆（１８）を介して走行チェーンケース（１５）を回動して後輪（４）を上下する構成とし、乗車部（８）の前方に畝の上面に通ずる作業空間部（９）を形成し、該作業空間部（９）の左右両側にはステップ（１０）を配設し、穴堀用駆動モ−タ（２３）によって回転するクランク（２５）と、揺動する揺動ア−ム（２７）と、クランク（２５）と揺動ア−ム（２７）を連結する連杆（２８）と、該連杆（２８）の先端に具備される穴堀具（２９）とからなり、穴堀用駆動モ−タ（２３）の駆動により穴堀具（２９）を循環軌跡で運動させて土中に突入させ穴堀を行う穴堀装置（２２）を、作業空間部（９）の前方に設け、所定の間歇走行距離毎に間歇的に走行する構成とした農作業車。
【請求項２】
前部にバッテリー（２）を設け、支持体（２１）に対して上下スライド自在な前輪支持杆（２０）に前輪（３）を設け、左右のステップ（１０）を畝間に沿って走行する前輪（３）及び後輪（４）に対し前後方向に沿う略直列状に配置し、前後方向に延びる左右の車体フレ−ム（１２）の適所を横部材（１３）で連結し、車体フレ−ム（１２）の中間部を下方へ屈曲させて作業空間部（９）を形成し、左右の車体フレ−ム（１２）に左右のステップ（１０）を固着し、左右の車体フレーム（１２）の後端側を上方及び後方へ向けて屈曲させて操縦ハンドル部（７）を構成した請求項１記載の農作業車。
【発明の詳細な説明】
【０００１】
【発明の属する技術分野】
この発明は、野菜等の苗の移植作業、或は収穫作業を行う農作業車に関し、農業機械の技術分野に属する。
【０００２】
【従来の技術】
野菜苗用の苗移植機として畝の両側を走行する車輪等の走行推進体で機体を推進させながら畝に苗を植付て行く構成のものがある。
【０００３】
【発明が解決しようとする課題】
従来の苗移植機は歩行型のものが多く、乗車状態で作業を行うものではなかった。
本発明は、乗車状態で苗移植作業、或は収穫作業が容易に行なえる農作業車を提供することにある。
【０００４】
【課題を解決するための手段】
この発明は、上記課題を解決すべく次のような技術的手段を講じた。すなわち、請求項１に記載した発明は、左右の前輪（３）と左右の後輪（４）を設け、後部に設けた走行モータ（５）からミッションケース（６）内を介して左右の走行チェーンケース（１５）内に伝動し、該走行チェーンケース（１５）の先端部に設けた後輪（４）を駆動する構成とし、昇降ハンドル（１７）により螺子杆（１８）を介して走行チェーンケース（１５）を回動して後輪（４）を上下する構成とし、乗車部（８）の前方に畝の上面に通ずる作業空間部（９）を形成し、該作業空間部（９）の左右両側にはステップ（１０）を配設し、穴堀用駆動モ−タ（２３）によって回転するクランク（２５）と、揺動する揺動ア−ム（２７）と、クランク（２５）と揺動ア−ム（２７）を連結する連杆（２８）と、該連杆（２８）の先端に具備される穴堀具（２９）とからなり、穴堀用駆動モ−タ（２３）の駆動により穴堀具（２９）を循環軌跡で運動させて土中に突入させ穴堀を行う穴堀装置（２２）を、作業空間部（９）の前方に設け、所定の間歇走行距離毎に間歇的に走行する構成とした農作業車の構成である。
【０００５】
作業者は、乗車部の座席に着座し、両足を左右のステップ（１０）上に乗せた状態で、機体を推進させながら、畝の上面に通ずる作業空間部（９）から苗の植付作業を行うことができる。
請求項２に記載した発明は、前部にバッテリー（２）を設け、支持体（２１）に対して上下スライド自在な前輪支持杆（２０）に前輪（３）を設け、左右のステップ（１０）を畝間に沿って走行する前輪（３）及び後輪（４）に対し前後方向に沿う略直列状に配置し、前後方向に延びる左右の車体フレ−ム（１２）の適所を横部材（１３）で連結し、車体フレ−ム（１２）の中間部を下方へ屈曲させて作業空間部（９）を形成し、左右の車体フレ−ム（１２）に左右のステップ（１０）を固着し、左右の車体フレーム（１２）の後端側を上方及び後方へ向けて屈曲させて操縦ハンドル部（７）を構成した請求項１記載の農作業車とする。
【０００６】
農作業車は圃場内の畝をまたぐように左右の前輪（３）及び後輪（４）が畝間を走行するものであるから、前輪（３）及び後輪（４）に対して前後直列状に配置するステップ（１０）は前後の前輪（３）及び後輪（４）間において比較的低位に配置構成することができ、作業者は楽な姿勢で作業を行なうことができる。
【０００７】
【発明の効果】
請求項１に記載した発明によれば、昇降ハンドル（１７）により後輪（４）を上下して機体を昇降させることができる。また、機体を所定の間歇走行距離毎に間歇的に走行させ、穴堀装置（２２）により穴堀された穴に作業者が苗を落とし込んで植え付けできるので、乗車部（８）の直前で移植作業ができ、安定した姿勢で作業を楽に行うことができる。
請求項２に記載した発明によれば、請求項１に記載した発明の効果に加えて、ステップ（１０）を低く配置できるので、作業者は楽な姿勢で畝への作業を容易に行うことができる。
【０００８】
【発明の実施の形態】
この発明の実施例を図面に基づき説明する。
図１は、乗用型の農作業車１を示すものであり、野菜苗の移植作業或は野菜等の収穫作業に使用することができる。そして、この農作業車１は、主として前部に駆動源であるバッテリ−２及び走行推進体としての左右一対の前輪３，３を有し、後部には同じく走行推進体としての左右一対の後輪４，４と該後輪４，４を回転駆動する走行モ−タ５及びミッションケ−ス６と後方に向けて突設した操縦ハンドル部７を備えて構成される。そして、この農作業車１には、座席からなる乗車部８を備え、該乗車部８の前方には畝の上面に通ずる作業空間部９を形成してあると共に、この作業空間部９の左右両側に位置して乗車作業者の足を乗せるステップ１０，１０を配置した構成としている。
【０００９】
農作業車１は、圃場内の畝をまたぐように前記前輪３，３及び後輪４，４が畝間を走行し、乗車部８に着座し足を左右のステップ１０，１０上に乗せた状態にある作業者が苗載せ台１１上の苗を取出しては作業空間部９から畝Ｕの上面に苗を植付けていくようになっている。
【００１０】
前後方向に延びる左右の車体フレ−ム１２，１２は、通常の畝幅に相当する間隔を有し、適所を横部材１３…で連結してあると共に、該フレ−ム１２，１２の中間部当りが前記作業空間部９となるようこれを下方に向けて屈曲形成することにより側面視Ｖ字型１２ａ，１２ｂ空間部の構成としている。そして、このＶ字型１２ａ，１２ｂ空間部の下辺に前記左右のステップ１０，１０を一体的に固着して設けた構成としている。なお、左右の車体フレ−ム１２，１２の後端側は上方後方に向けて屈曲形成することにより操縦ハンドル部７を兼ねた構成としている。
【００１１】
左右のステップ１０，１０は、前輪３，３と後輪４，４間で前後直列状に配置するため、畝の上面より低く、できるだけ前後輪３，４の通る畝間の溝底に近い位置にまで設定することができる。
ミッションケ−ス６の左右端には該ケ−ス６に対して回動可能な走行エクステンションケ−ス１４，１４を左右それぞれ設け、前記左右の走行エクステンションケ−ス１４，１４のそれぞれの端部に走行チェ−ンケ−ス１５，１５を固着して設けている。従って、前記走行モ−タ５から入力されるミッションケ−ス６内の動力を走行チェ−ンケ−ス１５，１５内に伝動し、該走行チェ−ンケ−ス１５，１５の回動先端部に軸架した左右一対の後輪４，４を駆動するようになっている。
【００１２】
走行エクステンションケ−ス１４，１４に固着された回動ア−ム１６が昇降ハンドル１７により螺子杆１８を介して前後方向に揺動調節されるようになっており、走行エクステンションケ−ス１４，１４内の出力軸１９回りに走行チェ−ンケ−ス１５，１５が回動され、該走行チェ−ンケ−ス１５，１５の回動により後輪４，４が上下して機体が昇降する構成となっている。
【００１３】
また、前輪３，３は、前輪支持杆２０が支持体２１に対して上下スライド調節自在に軸受保持され、この前輪支持杆２０のスライド調節によって機体が昇降する構成である。
作業空間部９の前方には畝Ｕの上面に苗植付用の穴を掘り起す穴堀装置２２が装備されている。この穴堀装置２２は、穴堀用駆動モ−タ２３によって軸２４を中心として回転するクランク２５と、軸２６を中心として揺動する揺動ア−ム２７と、前記クランク２５と揺動ア−ム２７とが連動連結される連杆２８と、この連杆２８の先端に具備される穴堀具２９とからなり、モ−タ２３によってクランク２５がクランク回転すれば、穴堀具２９は図１のＫで示すような循環軌跡運動をなし、畝Ｕの土中に突入して穴堀作用を行うことができる。このように穴堀された穴に作業者が苗を落とし込んで植え付けていく。
【００１４】
なお、このような作業を行う場合、走行部は、機体が作物の植付間隔毎に間歇的に走行するよう構成しておくことが望ましい。この間歇走行距離は任意に設定できるようにしておくとよい。
図４及び図５に示す実施例は、収穫作業を行う場合の農作業車を示し、作業空間部９の前方位置から後方位置にわたる範囲内には収穫すべき作物Ｓの外葉部分を収束ガイドする２本の収束ガイド杆３０ａ，３０ｂからなる収束装置３０が設けられている。この収束ガイド杆３０ａ，３０ｂの間隔は前方位置から収穫位置に至るほど徐々に狭くなる構成としている。
【００１５】
なお、収穫時の作物は外葉が拡がらないように周囲を結束紐３１で結束するようにしている。
【図面の簡単な説明】
【図１】農作業車の側面図
【図２】同上背面図
【図３】同上平面図
【図４】農作業車の側面図
【図５】同上平面図
【符号の説明】
１  農作業車、                    ２  バッテリ−
３  前輪                          ４  後輪
５  走行モ−タ                    ６  ミッションケ−ス
７  操縦ハンドル                  ８  乗車部
９  作業空間部                  １０  ステップ
１１  苗載せ台                    １２  車体フレ−ム
１３  横部材                      １４  エクステンションケ−ス
１５  走行チエンケ−ス            １６  回動ア−ム
１７  昇降ハンドル                １８  螺子杆
１９  出力軸                      ２０  支持杆
２１  支持体                      ２２  穴堀装置
【図１】
0004821066.tif 000002
【図２】
0004821066.tif 000003
【図３】
0004821066.tif 000004
【図４】
0004821066.tif 000005
【図５】
0004821066.tif 000006